(57)【要約】【課題】互いに反転した同じ画像を画面に複数表示させることを容易に可能にした携帯端末を提供する。【解決手段】画像を表示する表示部と、地面に対する表示部の画面の傾きの角度を検出する傾き検出部と、傾き検出部によって検出された角度が所定の範囲であると、表示部を２つの画面に分割し、分割した２つの画面のうち、一方の画面に画像を表示し、他方の画面に画像を１８０度回転させた画像を表示する分割反転表示を表示部に実行させる制御部と、を有する。【選択図】図２
2016184108.tif 000002
【特許請求の範囲】
【請求項１】
画像を表示する表示部と、
地面に対する、前記表示部の画面の傾きの角度を検出する傾き検出部と、
前記傾き検出部によって検出された角度が所定の範囲であると、前記表示部を２つの画面に分割し、分割した２つの画面のうち、一方の画面に前記画像を表示し、他方の画面に該画像を１８０度回転させた画像を表示する分割反転表示を前記表示部に実行させる制御部と、
を有する携帯端末。
【請求項２】
請求項１に記載の携帯端末において、
前記制御部は、
前記分割反転表示を行わない、通常の表示を行う通常表示モード、表示対象の画像の前記分割反転表示を前記表示部に強制的に実行させる強制分割反転表示モード、および表示対象の画像の前記分割反転表示を前記角度に対応して前記表示部に実行させる自動分割反転表示モードのうち、設定された表示モードを管理し、
前記自動分割反転表示モードが設定されると、前記傾き検出部を起動する、携帯端末。
【請求項３】
請求項２に記載の携帯端末において、
前記制御部は、前記角度が前記所定の範囲にない場合、前記画像を前記表示部に前記通常表示モードで表示させる、携帯端末。
【請求項４】
請求項１から３のいずれか１項に記載の携帯端末において、
前記所定の範囲は０度から３０度の範囲である、携帯端末。
【請求項５】
画像を表示する表示部を有する携帯端末による画像表示方法であって、
地面に対する、前記表示部の画面の傾きの角度を検出し、
検出された角度が所定の範囲であると、前記表示部を２つの画面に分割し、
分割した２つの画面のうち、一方の画面に前記画像を表示させ、
分割した２つの画面のうち、他方の画面に前記画像を１８０度回転させた画像を表示させる、画像表示方法。
【請求項６】
画像を表示する表示部を有するコンピュータに、
地面に対する、前記表示部の画面の傾きの角度を検出する手順と、
検出された角度が所定の範囲であると、前記表示部を２つの画面に分割する手順と、
分割した２つの画面のうち、一方の画面に前記画像を表示させる手順と、
分割した２つの画面のうち、他方の画面に前記画像を１８０度回転させた画像を表示させる手順を実行させるプログラム。
【発明の詳細な説明】
【技術分野】
【０００１】
本発明は、表示部を備えた携帯端末、画像表示方法、およびコンピュータに実行させるためのプログラムに関する。
【背景技術】
【０００２】
近年、企業内の業務の効率およびコストの削減を図り、また、環境への配慮から、文書を紙に印刷することから電子データにする電子化が進んでいる。そのため、小規模の会議や商談等で、文書を印刷した紙を用いる代わりに、文書を画面に表示させたタブレット型端末を使用するケースが増えている。
しかし、会議や商談等において、タブレット型端末を操作するユーザは、対面で座っている相手にタブレット型端末に表示させた画像を見せる際、タブレット型端末を水平に保ったまま物理的に１８０度回転させるか、画像を反転表示させる必要がある。
図１０は関連するタブレット型端末の画面をユーザが対面する相手に見せている状態を示す模式図である。
図１０はユーザがタブレット型端末２００を自分の見やすい向きから１８０度回転させて相手が見やすい向きに置いた状態を示す。図１０に示す状態では、画像はユーザの目９０１には見にくい向きだが、相手の目９０２には見やすい向きに表示されている。このように、ユーザは、相手に画像を見せている間、自分には画像が逆さまに見えており、文字を読んだり、グラフや表などを認識したりするのが困難だった。
【０００３】
この問題に対して、表示画面を複数の領域に分割して、分割した複数の領域に同じ画像を縮小して向きを変えて表示する方法が特許文献１に開示されている。特許文献１に開示された表示装置では、表示画面が水平になるように設置された状態で、入力部を介して表示画面に位置が入力されると、その位置に応じて複数の分割領域に縮小画像が表示される。特許文献１の図２（ｂ）には、表示装置が、表示画面を２つの領域に分割し、一方の領域に元の画像を元の画像と同じ向きで表示し、他方の領域に元の画像を反転させて表示することが開示されている。
【先行技術文献】
【特許文献】
【０００４】
【特許文献１】特開２０１２−２４２８１４号公報
【発明の概要】
【発明が解決しようとする課題】
【０００５】
特許文献１に開示された表示装置では、同じ画像が２つの領域で互いに反転するように画像を表示させる際、表示装置を水平に置いた状態でユーザが入力部を介して位置を指定する操作を行う必要がある。そのため、反転した関係にある２つの画像の表示と通常表示の切り替えが頻繁に行われる場合、切り替えの度に、ユーザが位置を指定する操作を行う必要があり、操作の手間がかかってしまう。
本発明は上述したような技術が有する問題点を解決するためになされたものであり、互いに反転した同じ画像を画面に複数表示させることを容易に可能にした携帯端末、画像表示方法、およびコンピュータに実行させるプログラムを提供することを目的とする。
【課題を解決するための手段】
【０００６】
上記目的を達成するための本発明の携帯端末は、
画像を表示する表示部と、
地面に対する、前記表示部の画面の傾きの角度を検出する傾き検出部と、
前記傾き検出部によって検出された角度が所定の範囲であると、前記表示部を２つの画面に分割し、分割した２つの画面のうち、一方の画面に前記画像を表示し、他方の画面に該画像を１８０度回転させた画像を表示する分割反転表示を前記表示部に実行させる制御部と、
を有する構成である。
【０００７】
また、本発明の画像表示方法は、画像を表示する表示部を有する携帯端末による画像表示方法であって、
地面に対する、前記表示部の画面の傾きの角度を検出し、
検出された角度が所定の範囲であると、前記表示部を２つの画面に分割し、
分割した２つの画面のうち、一方の画面に前記画像を表示させ、
分割した２つの画面のうち、他方の画面に前記画像を１８０度回転させた画像を表示させるものである。
【０００８】
さらに、本発明のプログラムは、画像を表示する表示部を有するコンピュータに、
地面に対する、前記表示部の画面の傾きの角度を検出する手順と、
検出された角度が所定の範囲であると、前記表示部を２つの画面に分割する手順と、
分割した２つの画面のうち、一方の画面に前記画像を表示させる手順と、
分割した２つの画面のうち、他方の画面に前記画像を１８０度回転させた画像を表示させる手順を実行させるものである。
【発明の効果】
【０００９】
本発明によれば、ユーザが操作しなくても、表示部の向きに応じて、ユーザだけでなくユーザに対面する相手にも画像が見やすくなるように表示を切り替えることができる。
【図面の簡単な説明】
【００１０】
【図１】本発明の一実施形態の携帯端末の構成を示すブロック図である。
【図２】図１に示した携帯端末の動作を説明するための図である。
【図３】本実施形態のタブレット装置の一構成例を示すブロック図である。
【図４Ａ】図３に示した角度センサが検出する角度を説明するための斜視図である。
【図４Ｂ】図３に示した角度センサが検出する角度を説明するための側面図である。
【図５Ａ】表示部が対象画像の分割反転表示を行う角度の範囲を示す図である。
【図５Ｂ】表示部が対象画像に対して通常の表示を行う角度の範囲を示す図である。
【図６】強制分割反転表示モードの設定時における、本実施形態のタブレット装置の動作手順を示すフロー図である。
【図７】自動分割反転表示モードの設定時における、本実施形態のタブレット装置の動作手順を示すフロー図である。
【図８】自動分割反転表モードに設定された、本実施形態のタブレット装置の動作手順を示すフロー図である。
【図９】自動分割反転表モードに設定された、本実施形態のタブレット装置の動作手順を示すフロー図である。
【図１０】関連するタブレット型端末の画面をユーザが対面する相手に見せている状態を示す模式図である。
【発明を実施するための形態】
【００１１】
本発明の一実施形態の携帯端末の構成を説明する。
図１は本発明の一実施形態の携帯端末の構成を示すブロック図である。
図１に示すように、携帯端末１０は、画像を表示する表示部１１と、地面に対する表示部１１の画面の傾きの角度を検出する傾き検出部１３と、制御部１２とを有する。
制御部１２は、傾き検出部１３によって検出された角度が所定の範囲であると、表示部１１を２つの画面に分割し、分割した２つの画面のうち、一方の画面に元の画像を表示させ、他方の画面に元の画像を１８０度回転させた画像を表示させる。上記角度について所定の範囲とは、例えば、０〜３０度である。
図１に示した携帯端末の動作を説明する。
ユーザが携帯端末１０の表示部１１を自分の方に向けた状態で画像を表示部１１に表示させた後、その画像を自分と対面して座っている相手にも見せる場合を考える。そのとき、ユーザは表示部１１が水平（地面に対する角度が０度）になるように携帯端末１０を傾けると、傾き検出部１３が表示部１１の角度が３０度以下になるのを検出する。制御部１２は、地面に対する角度が３０度以下になったことを認識すると、表示部１１の画面を２つに分割し、分割した２つの画面のうちの一方の画面に元の画像を表示し、他方の画面に、元の画像を１８０度回転させて表示させる。図２にその状態を表す。
ユーザは、相手に画像を見せるために携帯端末１０を回転させたり、画像を反転表示させたりしなくても、自分も相手も同じ画像を見やすい方向から見ることができる。画像に文字が含まれている場合には、ユーザも相手も文字を読むことが可能となる。
なお、図２に示すように、制御部１２は、表示対象の画像を縮小して２つの画面に表示させるようにしてもよい。表示対象の画像を縮小しなくても、そのまま２つの画面に表示可能であれば、制御部１２は、画像を縮小せずに表示させてもよい。
【００１２】
上記のように、表示部を２つの画面に分割し、分割した２つの画面の一方に元の画像を元の画像と同じ向きで表示し、他方の画面に元の画像を反転させて表示させることを、以下では、「分割反転表示」と称する。本発明の携帯端末がタブレット型携帯端末であるタブレット装置の場合について、実施形態を詳しく説明する。
【００１３】
本実施形態のタブレット装置の構成を説明する。図３は本実施形態のタブレット装置の一構成例を示すブロック図である。
図３に示すように、タブレット装置１００は、表示部１１１および操作部１１２を含むタッチパネル１１０と、角度センサ１３０と、タッチパネル１１０を制御する制御部１２０とを有する。制御部１２０は、傾き判定部１２１と、モード管理部１２２と、画面分割反転処理部１２３と、メッセージ処理部１２４とを有する。後述するが、タブレット装置１００は、複数種の表示モードを備えている。
図３に示す各構成を詳しく説明する。
【００１４】
角度センサ１３０は地面に対する表示部１１１の角度を検出し、検出した角度の情報を含む角度信号を傾き判定部１２１に送信する。図４Ａおよび図４Ｂは角度センサが検出する角度を説明するための図である。説明のために、図４Ａおよび図４Ｂに示すように、座標軸を定義すると、ＸＹ平面は地面と平行な面であり、Ｚ軸は地面に対して垂直方向である。図４Ｂはタブレット装置１００を真横から見た図である。図４Ａおよび図４Ｂに示すように、角度センサ１３０が検出する角度をθで表す。角度センサ１３０は、例えば、加速度センサである。
タッチパネル１１０は、表示部１１１の上に操作部１１２が重ね合わされている構成である。表示部１１１は、制御部１２０の指示にしたがって、文字、グラフおよび表等を含む画像を表示する。表示部１１１は、例えば、ＬＣＤ（Liquid Crystal Display）である。
操作部１１２は、ユーザが指示を入力するためのインターフェース部である。操作部１１２は、表面にセンサが設けられた透明基板を有し、ユーザの指やペン等の入力手段の接触または近接をセンサが検出した位置を制御部１２０に通知する。操作部１１２は、ユーザからの各種表示モードの設定の指示を受け付け、モード管理部１２２に対して指示された表示モードの実行を要求する。
制御部１２０は操作部１１２を介して入力される指示にしたがって表示部１１１を制御する。制御部１２０は、プログラムを記憶するメモリ（不図示）と、プログラムにしたがって処理を実行するＣＰＵ（Central Processing Unit）（不図示）とを有する。ＣＰＵがプログラムを実行することで、傾き判定部１２１、モード管理部１２２、画面分割反転処理部１２３およびメッセージ処理部１２４がタブレット装置１００に仮想的に構成される。
【００１５】
ここで、制御部１２０の構成を詳しく説明する前に、タブレット装置１００が実行し得る各種表示モードについて説明する。本実施形態では、表示モードには次の３種類がある。
（１）通常表示モード
表示部１１１が表示対象の画像に対して、分割反転表示を行わず、通常の表示を行うモードである。通常の表示とは、表示対象の画像の上下と表示部１１１の上下の向きを一致させて、その画像を表示部１１１が表示することを意味する。例えば、図１０は、ユーザに対面する相手が見やすいように、画像の「通常の表示」を行った場合の一例である。
（２）強制分割反転表示モード
この表示モードは、ユーザが操作部１１２を介してこのモードを指定することにより、表示部１１１が表示対象の画像に対して、このモードが解除されるまで継続的に分割反転表示を行うモードである。
（３）自動分割反転表示モード
この表示モードは、ユーザが操作部１１２を介してこのモードを設定しておくことにより、表示部１１１が表示対象の画像に対して、表示部１１１の角度θに対応して、分割反転表示を自動的に実行するモードである。
以下では、強制分割反転表示モードおよび自動分割反転表示モードを、「分割反転表示モード」と総称する。
【００１６】
図３の説明に戻って、制御部１２０の構成を説明する。
傾き判定部１２１は、自動分割反転表示モードがオンの場合にのみ動作する。傾き判定部１２１は、地面に対する表示部１１１の角度θの情報である角度信号を角度センサ１３０から受信すると、角度θが第１の範囲、第２の範囲および第３の範囲のうち、いずれの範囲にあるかを判定する。そして、傾き判定部１２１は、判定の結果、その範囲を示す情報である角度範囲情報を画面分割反転処理部１２３に送信する。第１の範囲は０°≦θ≦３０°であり、第２の範囲は６０°≦θ≦９０°であり、第３の範囲は３０°＜θ＜６０°である。
図５Ａは第１の範囲を示す図であり、図５Ｂは第２の範囲を示す図である。
モード管理部１２２は、現在、設定されている表示モードである現行表示モードの管理を行う。モード管理部１２２は、ユーザから操作部１１２を介して、表示モードを設定する旨の要求があると、表示モードの選択画面をメモリ（不図示）から読みだして表示部１１１に表示させる。モード管理部１２２は、操作部１１２を介して選択された表示モードと現行表示モードが同一か否かを判定する。そして、モード管理部１２２は、選択された表示モードが現行表示モードと異なり、かつ選択された表示モードが分割反転表示モードである場合、画面分割反転処理部１２３に起動を指示する。さらに、選択された表示モードが自動分割反転表示モードである場合、モード管理部１２２は、角度センサ１３０および傾き判定部１２１を起動する。
また、モード管理部１２２は、選択された表示モードが現行表示モードと異なる場合、表示モードを切り替えた旨の情報をメッセージ処理部１２４を介して表示部１１１に表示させる。一方、モード管理部１２２は、選択された表示モードが現行表示モードと同一である場合、選択された表示モードが既に実行済である旨の情報をメッセージ処理部１２４を介して表示部１１１に表示させる。
さらに、モード管理部１２２は、強制分割反転表示モードおよび自動分割反転表示モードのいずれも設定されていない場合、およびこれらの表示モードの設定が解除された場合には、通常表示モードが設定されたものとして管理する。
【００１７】
画面分割反転処理部１２３は、モード管理部１２２からの指示にしたがって起動する。画面分割反転処理部１２３は、強制分割反転表示モードの場合、表示部１１１に対して、表示している画像の分割反転表示を指示する。画面分割反転処理部１２３は、自動分割反転表示モードの場合、傾き判定部１２１から受信する角度θの範囲に対応して、表示方法を表示部１１１に指示する。具体的には、画面分割反転処理部１２３は、角度θが第１の範囲である場合、分割反転表示を表示部１１１に指示し、角度θが第２の範囲および第３の範囲である場合、通常の表示を表示部１１１に指示する。
メッセージ処理部１２４は、各種メッセージを生成し、生成したメッセージの表示を表示部１１１に指示する。
なお、本実施形態では、自動分割反転表示モードにおいて、角度θが第３の範囲である場合、画面分割反転処理部１２３が通常の表示を表示部１１１に指示する場合で説明するが、表示部１１１に表示画面を暗くさせるなどの省電力動作を行わせてもよい。
【００１８】
次に、本実施形態のタブレット装置１００の動作を説明する。
はじめに、ユーザが表示モードを強制分割反転表示モードに設定したときのタブレット装置１００の動作を説明する。図６は強制分割反転表示モードの設定時におけるタブレット装置の動作手順を示すフロー図である。
ユーザが操作部１１２を操作して、表示モードの選択画面を表示部１１１に表示させた後、強制分割反転表示モードをオンに設定する指示を入力する。操作部１１２は、強制分割反転表示モードの設定指示が入力されると（ステップ３０１）、モード管理部１２２に対して、強制分割反転表示モードの実行を要求する旨の強制モード実行要求信号を送信する（ステップ３０２）。
モード管理部１２２は、強制モード実行要求信号を操作部１１２から受信すると、強制分割反転表示モードを既に実行しているか否かを判定する（ステップ３０３）。モード管理部１２２は、強制分割反転表示モードを実行していない場合、強制分割反転表示モードに移行し、画面分割反転処理部１２３に対して、画像の分割反転表示処理を要求する旨の画面分割反転処理要求信号を送信する（ステップ３０４）。
画面分割反転処理部１２３は、モード管理部１２２から画面分割反転処理要求信号を受信すると、表示部１１１に対して、画像の分割反転表示を要求する旨の画面分割反転表示要求信号を送信する（ステップ３０５）。表示部１１１は、画面分割反転表示を開始する（ステップ３０６）。表示部１１１は、現在表示している画像に対して画面分割反転表示を行う。
また、画面分割反転処理部１２３は、ステップ３０５の処理の後、画面分割反転処理の実行を開始した旨の画面分割反転処理開始応答信号をモード管理部１２２に送信する（ステップ３０７）。モード管理部１２２は、画面分割反転処理開始応答信号を画面分割反転処理部１２３から受信すると、強制分割反転モードの設定を完了した旨の強制モード設定完了信号を操作部１１２に送信する（ステップ３０８）。
【００１９】
一方、ステップ３０３の判定の結果、強制分割反転表示モードが既に実行済みである場合、モード管理部１２２は、メッセージ処理部１２４に対して、強制分割反転表示モードが既に実行されている旨のメッセージ生成を要求する強制モード実行済メッセージ生成要求信号を送信する（ステップ３０９）。
メッセージ処理部１２４は、強制モード実行済メッセージ生成要求信号をモード管理部１２２から受信すると、強制分割反転表示モードが既に実行させている旨のメッセージを含む強制モード実行済エラー表示要求信号を表示部１１１に送信する（ステップ３１０）。表示部１１１は、強制モード実行済エラー表示要求信号をメッセージ処理部１２４から受信すると、強制分割反転表示モードが既に設定済みである旨のエラーを表示する（ステップ３１１）。
また、メッセージ処理部１２４は、ステップ３１０の処理の後、強制分割反転表示モードを実行済みである旨の強制モード実行済み応答信号をモード管理部１２２に送信する（ステップ３１２）。モード管理部１２２は、強制モード実行済み応答信号を画面分割反転処理部１２３から受信すると、その応答信号を操作部１１２に転送する（ステップ３１３）。
【００２０】
次に、ユーザが表示モードを自動分割反転表示モードに設定したときのタブレット装置１００の動作を説明する。図７は自動分割反転表示モードの設定時におけるタブレット装置の動作手順を示すフロー図である。
ユーザが操作部１１２を操作して、表示モードの選択画面を表示部１１１に表示させた後、自動分割反転表示モードをオンに設定する指示を入力する。操作部１１２は、自動分割反転表示モードの設定指示が入力されると（ステップ４０１）、モード管理部１２２に対して、自動分割反転表示モードの実行を要求する旨の自動モード実行要求信号を送信する（ステップ４０２）。
モード管理部１２２は、自動モード実行要求信号を操作部１１２から受信すると、自動分割反転表示モードを既に実行しているか否かを判定する（ステップ４０３）。モード管理部１２２は、自動分割反転表示モードを実行していない場合、自動分割反転表示モードに移行し、角度センサ１３０および傾き判定部１２１を起動する。また、モード管理部１２２は、メッセージ処理部１２４に対して、自動分割反転表示モードの実行を開始する旨のメッセージ生成を要求する自動モード開始メッセージ生成要求信号を送信する（ステップ４０４）。
メッセージ処理部１２４は、自動モード開始メッセージ生成要求信号をモード管理部１２２から受信すると、自動分割反転表示モードの実行を開始する旨のメッセージを含む自動モード開始表示要求信号を表示部１１１に送信する（ステップ４０５）。表示部１１１は、自動モード開始表示要求信号をメッセージ処理部１２４から受信すると、自動分割反転表示モードの実行を開始する旨を表示する（ステップ４０６）。
また、メッセージ処理部１２４は、ステップ４０５の処理の後、自動分割反転モードの実行を開始した旨の自動モード開始応答信号をモード管理部１２２に送信する（ステップ４０７）。モード管理部１２２は、自動モード開始応答信号をメッセージ処理部１２４から受信すると、自動分割反転モードの設定を完了した旨の自動モード設定完了信号を操作部１１２に送信する（ステップ４０８）。
【００２１】
一方、ステップ４０３の判定の結果、自動分割反転表示モードが既に実行済みである場合、モード管理部１２２は、メッセージ処理部１２４に対して、自動分割反転表示モードが既に実行されている旨のメッセージ生成を要求する自動モード実行済メッセージ生成要求信号を送信する（ステップ４０９）。
メッセージ処理部１２４は、自動モード実行済メッセージ生成要求信号をモード管理部１２２から受信すると、自動分割反転表示モードが既に実行させている旨のメッセージを含む自動モード実行済エラー表示要求信号を表示部１１１に送信する（ステップ４１０）。表示部１１１は、自動モード実行済エラー表示要求信号をメッセージ処理部１２４から受信すると、自動分割反転表示モードが既に設定済みである旨のエラーを表示する（ステップ４１１）。
また、メッセージ処理部１２４は、ステップ４１０の処理の後、自動分割反転表示モードを実行済みである旨の自動モード実行済み応答信号をモード管理部１２２に送信する（ステップ４１２）。モード管理部１２２は、自動モード実行済み応答信号をメッセージ処理部１２４から受信すると、その応答信号を操作部１１２に転送する（ステップ４１３）。
【００２２】
次に、自動分割反転表示モードに設定されたタブレット装置１００の動作を説明する。
図８および図９は自動分割反転表モードに設定されたタブレット装置の動作手順を示すフロー図である。ここでは、図７を参照して説明した手順により、表示モードが自動分割反転モードに予め設定されているものとする。
ユーザがタブレット装置１００を保持して動かしたことで、表示部１１１と水平方向（地面）との角度θが変化すると、図８に示すように、傾き判定部１２１は、角度センサ１３０から受信した角度θが０度以上３０度以下の範囲にあると判定する（ステップ５０１）。続いて、傾き判定部１２１は、画面分割反転処理部１２３に対して、画面分割反転処理要求信号を送信する（ステップ５０２）。
画面分割反転処理部１２３は、画面分割反転処理要求信号を傾き判定部１２１から受信すると、表示部１１１に対して、画面分割反転表示要求信号を送信する（ステップ５０３）。表示部１１１は、画面分割反転表示要求信号を画面分割反転処理部１２３から受信すると、画像の分割反転表示を開始する（ステップ５０４）。
また、画面分割反転処理部１２３は、ステップ５０３の後、画面分割反転処理開始応答信号を傾き判定部１２１に送信する（ステップ５０５）。
【００２３】
また、ユーザがタブレット装置１００を保持して動かしたことで、表示部１１１と水平方向との角度θが変化すると、図９に示すように、傾き判定部１２１は、角度センサ１３０から受信した角度θが６０度以上９０度以下の範囲にあると判定する（ステップ６０１）。続いて、傾き判定部１２１は、画面分割反転処理部１２３に対して、画像の分割反転表示処理の終了を要求する旨の画面分割反転処理終了信号を送信する（ステップ６０２）。
画面分割反転処理部１２３は、画面分割反転処理終了信号を傾き判定部１２１から受信すると、表示部１１１に対して、画像の分割反転表示の終了を要求する旨の画面分割反転表示終了信号を送信する（ステップ６０３）。表示部１１１は、画面分割反転表示終了信号を画面分割反転処理部１２３から受信すると、画像の分割反転表示を終了し（ステップ６０４）、通常の表示を開始する。
また、画面分割反転処理部１２３は、ステップ５０３の後、画像の分割反転表示処理が終了した旨の画面分割反転処理終了応答信号を傾き判定部１２１に送信する（ステップ６０５）。
【００２４】
本実施形態によれば、地面に対する表示部の角度を検出する角度センサが携帯端末に設けられ、自動分割反転表示モードに設定されていると、検出された角度に応じて、表示対象の画像の分割反転表示と通常の表示が自動的に切り替えられる。ユーザは操作しなくても、表示部の向きに応じて、自分だけでなく対面する相手にも画像が見やすくなるように表示が切り替わる。そのため、ユーザは、対面する相手にタブレット装置に表示させた画像を見せる際、タブレット装置を水平に保ったまま物理的に１８０度回転させたり、画像を反転表示させたりする必要がなく、自分も相手も画面の文字等を読むことが容易となる。その結果、会議や商談等における打合せの効率化を図ることができる。また、打合せの際に、予め紙文書を持参したり、大型ディスプレイを用意したりする必要がないので、コストの削減および設備の効率利用を図ることが可能となる。
本実施形態の画像表示方法を、スマートフォンおよびタブレット型端末等の携帯端末を含むコンピュータに実行させることが可能である。
【符号の説明】
【００２５】
１０    携帯端末
１１、１１１    表示部
１２、１２０    制御部
１３    傾き検出部
１００    タブレット装置
１１０    タッチパネル
１３０    角度センサ
【図１】
2016184108.tif 000003
【図２】
2016184108.tif 000004
【図３】
2016184108.tif 000005
【図４Ａ】
2016184108.tif 000006
【図４Ｂ】
2016184108.tif 000007
【図５Ａ】
2016184108.tif 000008
【図５Ｂ】
2016184108.tif 000009
【図６】
2016184108.tif 000010
【図７】
2016184108.tif 000011
【図８】
2016184108.tif 000012
【図９】
2016184108.tif 000013
【図１０】
2016184108.tif 000014